(57)【要約】【課題】本発明は、視界を拡げることができる眼鏡に関するものである。【解決手段】眼鏡１は、左右のレンズ２、３と、該左右のレンズ２、３を結合する接着剤４と、該左右のレンズ２、３の外端部に設けた左右のテンプル５、６と、からなる。【効果】本発明によれば、視界の妨害原因を排除して視野の拡大を図ると共に、鼻に違和感を生ずる原因や鼻に汗をかいて不快感を生ずる原因を排除して使用感を向上することが出来、しかも特に操作性に優れ、加工が容易で、さらにコストが安価である眼鏡とすることができ、従来の問題点の解消を図ることが出来る効果がある。【選択図】図１
2010145980.tif 000002
【特許請求の範囲】
【請求項１】
眼鏡フレームを使用することなく左右のレンズを結合した、
ことを特徴とする眼鏡。
【請求項２】
眼鏡フレームを使用することなく左右のレンズを接着剤を介して結合した、
ことを特徴とする請求項１記載の眼鏡。
【請求項３】
眼鏡フレームを使用することなく左右のレンズをヒンジを介して結合した、
ことを特徴とする請求項１記載の眼鏡。
【請求項４】
前記左右のレンズの相対向面にノーズプロテクタを設けた、
ことを特徴とする請求項１、請求項２または請求項３記載の眼鏡。
【請求項５】
前記左右のレンズの外端部に支持体を設けた、
ことを特徴とする請求項１〜請求項４の何れかに記載の眼鏡。
【請求項６】
前記支持体は、テンプルである、
ことを特徴とする請求項５記載の眼鏡。
【発明の詳細な説明】
【技術分野】
【０００１】  本発明は、視界を拡げることができる眼鏡に関し、ブリッジレスとすることで、視界を拡大することができ、しかも構造が簡単で、加工が容易で、しかもコストが安価である眼鏡に関するものである。
【背景技術】
【０００２】  従来、一般の眼鏡フレームＦにおいては、図３に示すように、左右のレンズを支持する左右の支持フレームＥをブリッジＢにて固定している。【０００３】  しかしながら、このブリッジがあることにより、視界が妨げられて、視野が狭くなるという問題点があった。【０００４】  また、このブリッジの下方の左右の支持フレームの相対向面に設けられた鼻パットＰにより、鼻に違和感を生ずることや鼻に汗をかいて不快感を生ずるという問題点があった。
【発明の開示】
【発明が解決しようとする課題】
【０００５】  このような従来技術の問題点に鑑み、本発明の主な目的は、
視界の妨害原因を排除して視野の拡大を図ると共に、
鼻に違和感を生ずる原因や鼻に汗をかいて不快感を生ずる原因を排除して
使用感を向上することが出来、しかも
特に操作性に優れ、加工が容易で、しかもコストが安価である眼鏡、
を提供することにある。
【課題を解決するための手段】
【０００６】  このような目的は、本発明によれば、
眼鏡フレームを使用することなく左右のレンズを結合した、
ことを特徴とする眼鏡、
を提供することにより達成される。
【発明の効果】
【０００７】  このように、本発明によれば、ブリッジレスとすることで、
次のような優れた効果がある。
（１）視界を阻害するブリッジが無くなり、視界阻害要因が解消されるので、視界を拡大でき、眼鏡を使用したときの視界を充分確保することができるという効果がある。
（２）レンズの周縁を保持する眼鏡フレームを使用せず、またブリッジレスとしたので、構造が簡単となるという効果がある。
（３）眼鏡フレームとブリッジとを使用しない構造としたので、眼鏡の加工が容易となるという効果がある。
（４）眼鏡フレームとブリッジとを使用しない簡単な構造としたので、コストが安価という効果がある。
（５）眼鏡フレームと鼻パットとを使用しない簡単な構造としたので、鼻に違和感を生ずることや鼻に汗をかいて不快感を生ずるという従来の問題点を解消することができるという効果がある。
【発明を実施するための最良の形態】
【０００８】  次に、本発明を添付の図面を参照して、特定の実施の形態について詳述する。【０００９】  本発明は、眼鏡に関するものであり、特にブリッジレスとすることで、視界を拡大することができ、しかも構造が簡単で、加工が容易で、しかもコストが安価である眼鏡に関するものであり、従来の問題点を解消することができる。【００１０】  すなわち、本発明は、
眼鏡フレームを使用することなく左右のレンズを結合した、
ことを特徴とする眼鏡であり、
従来の問題点を解消することができる。
【実施例１】
【００１１】  図１は、本発明に基づく眼鏡の実施の形態の第一実施例を示している。【００１２】  本発明の眼鏡は、図１に示すように、
眼鏡フレームを使用することなく左右のレンズを接着剤を介して結合した、
ことを特徴とする眼鏡である。【００１３】  すなわち、図１に示すように、眼鏡の実施の一例として、
該眼鏡１は、
左右のレンズ２、３と、
該左右のレンズ２、３を結合する接着剤４と、
該左右のレンズ２、３の外端部に設けた左右の支持体であるテンプル５、６と、
からなる。【００１４】  上記左右のレンズ２、３は、硝子やアクリル等のプラスチック（合成樹脂）からなり、レンズ加工により、使用者の利用に供するように適切な眼鏡度数に仕上げられている。【００１５】  上記接着剤４は、硝子やプラスチック（合成樹脂）からなる左右のレンズ２、３を確実に結合固定するに適当な硝子系やプラスチック（合成樹脂）系の接着剤が使用される。【００１６】  上記左右のテンプル５、６は、上記左右のレンズ２、３の外端部に小孔７、７を開穿すると共に、該小孔７、７に左右のコネクタ８、９を固定し、かつ該左右のコネクタ８、９に上記左右のテンプル５、６を回動自在に結合されている。【００１７】  上記左右のレンズ２、３の上記接着剤を介して結合した部位の下方の相対向面には、左右のノーズプロテクタ１０、１０が接着剤を介して結合されている。【００１８】  上記左右のノーズプロテクタ１０、１０は、弾力性を有し、吸湿性と速乾性に優れたシリコン等の軟質プラスチック（合成樹脂）からなり、鼻に違和感を生ずることや鼻に汗をかいて不快感を生ずるという問題点を解消することができる。
【実施例２】
【００１９】  図２は、本発明に基づく眼鏡の実施の形態の第二実施例を示している。【００２０】  本実施例の眼鏡は、図２に示すように、ブリッジレス（支持フレームレス）（眼鏡フレームレス）に形成されており、
すなわち、図２に示すように、該眼鏡１は、
左右のレンズ２、３と、
該左右のレンズ２、３を結合するヒンジ１１と、
を備えている。【００２１】  上記眼鏡１は、図２に示すように、
上記左右のレンズ２、３の内端部に小孔１２、１２を開穿すると共に、該小孔１２、１２に上記ヒンジ１１を挿入して、かつ該ヒンジ１１にて該左右のレンズ２、３を結合している。【００２２】  尚、本発明の眼鏡は、上記実施例の構成に限られることなく、上記実施例の構成に追加することや、他の構成で置換することができるのは勿論であり、例えば、次のようなものがある。【００２３】（１）前記左右のレンズ２、３の結合は、前記実施例の接着剤やヒンジ１１によるものに限られることなく、該左右のレンズ２、３を確実に結合できるものならば、図示は省略するが、コネクタやジョイントによるものとすることが出来るのは勿論であり、適用範囲を広くできる利点がある。
（２）前記左右のレンズ２、３の外端部に設ける支持体は、前記実施例の左右のテンプル５、６に限られることなく、眼鏡１を頭に支持し得るものならば、図示は省略するが、ケーブルやバンドとすることが出来るのは勿論であり、適用範囲を広くできる利点がある。
（３）前記左右のレンズ２、３の相対向面に設けた左右のノーズプロテクタ１０、１０は、前記実施例のシリコン等の軟質プラスチック（合成樹脂）に限られることなく、
鼻に違和感を生ずることや鼻に汗をかいて不快感を生ずるという問題点を解消することができるものならば、合成ゴム、その他の材料とすることが出来るのは勿論であり、適用範囲を広くできる利点がある。
【図面の簡単な説明】
【００２４】
【図１】発明の実施の形態の一例を示す構成のうち眼鏡の構成を示す斜視図である。
【図２】発明の実施の形態の一例を示す構成のうち眼鏡の構成を示す斜視図である。
【図３】従来例の一例を示す眼鏡の斜視図である。
【符号の説明】
【００２５】１      眼鏡
２      左レンズ
３      右レンズ
４      接着剤
５      左テンプル（支持体）
６      右テンプル（支持体）
７      小孔
８      左コネクタ
９      右コネクタ
１０    ノーズプロテクタ
１１    ヒンジ
１２    小孔
Ｆ      フレーム
Ｅ      支持フレーム
Ｂ      ブリッジ
Ｐ      鼻パット
【図１】
2010145980.tif 000003
【図２】
2010145980.tif 000004
【図３】
2010145980.tif 000005